(57)【特許請求の範囲】
【請求項１】
ワイヤレスノードによるワイヤレス通信のための方法であって、
バンドル送信のバンドル長によって、前記バンドル送信における送信のために含める追加の基準信号の数を決定することと、
前記決定に基づいて、前記バンドル送信の先頭および／または中央においてのみ前記数の追加の基準信号を送信し、前記バンドル送信の残りの部分においてデータを送信することとを備える、方法。
【請求項２】
前記バンドル送信は、異なる周波数において送信されるサブフレームのバーストを備え、
前記追加の基準信号は、各バーストの同じサブフレームにおいて送信される、請求項１に記載の方法。
【請求項３】
前記追加の基準信号は、１つまたは複数のサブフレームの各々の同じスロットにおいて送信される、請求項１に記載の方法。
【請求項４】
前記追加の基準信号は、１つまたは複数のサブフレームの各々の同じシンボルにおいて送信される、請求項１に記載の方法。
【請求項５】
前記追加の基準信号は、他のタイプの信号を送信または受信するために使用されないリソース要素において送信される、請求項１に記載の方法。
【請求項６】
前記追加の基準信号の帯域幅は、前記バンドル送信の帯域幅に基づいて決定される、請求項１に記載の方法。
【請求項７】
前記バンドル送信において他のシグナリングを送信することをさらに備え、ここにおいて、前記他のシグナリングは、前記追加の基準信号と多重化される、請求項１に記載の方法。
【請求項８】
前記他のシグナリングは物理アップリンク制御チャネル（ＰＵＣＣＨ）を備える、請求項７に記載の方法。
【請求項９】
前記他のシグナリングは、あるタイプの物理ダウンリンク制御チャネル（ＰＤＣＣＨ）を備える、請求項７に記載の方法。
【請求項１０】
ワイヤレスノードによるワイヤレス通信のための方法であって、
バンドル送信のバンドル長によって、前記バンドル送信がある数の追加の基準信号を備えると決定することと、
前記決定に基づいて、前記バンドル送信の先頭および／または中央においてのみ前記数の追加の基準信号を受信し、前記バンドル送信の残りの部分においてデータを受信することとを備える、方法。
【請求項１１】
ワイヤレスノードによるワイヤレス通信のための方法であって、
バンドル送信のバンドル長によって、前記バンドル送信において送信される１つまたは複数の基準信号に適用する追加の送信電力を決定することと、
前記決定に基づいて、前記バンドル送信および基準信号を送信することとを備える、方法。
【請求項１２】
ワイヤレスノードによるワイヤレス通信のための方法であって、
バンドル送信のバンドル長によって、前記バンドル送信において送信されるときに別のワイヤレスノードによって１つまたは複数の基準信号に適用された追加の送信電力を決定することと、
前記決定に基づいて、前記バンドル送信および基準信号を処理することとを備える、方法。
【請求項１３】
請求項１−１２のうちのいずれか一項の方法を実行するための手段を備える、ワイヤレス通信のための装置。
【請求項１４】
コンピュータによって実行されると、前記コンピュータに請求項１−１２のうちのいずれか一項の方法を実行させる命令を備える、ワイヤレス通信のためのコンピュータ可読記憶媒体。
【発明の詳細な説明】
【技術分野】
【０００１】
関連出願の相互参照
[0001]本出願は、本出願の譲受人に譲渡され、その全体が参照により本明細書に明確に組み込まれる、２０１５年２月１３日に出願された米国仮出願第６２／１１６，３３０号の優先権および利益を主張する、２０１６年２月１１日に出願された米国特許出願第１５／０４２，１２２号の優先権を主張する。
【０００２】
[0002]本開示のいくつかの態様は概して、ワイヤレス通信に関し、より詳細には、カバレッジ拡張を伴う通信、ならびにマシンタイプ通信（ＭＴＣ）デバイス、エンハンストまたは発展型ＭＴＣ（ｅＭＴＣ）デバイスおよびモノのインターネット（ＩｏＴ）デバイスのような、限られた通信リソースを伴うデバイスのための基準信号設計に関する。
【背景技術】
【０００３】
[0003]ワイヤレス通信システムは、音声、データなど、種々のタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムとすることができる。そのような多元接続システムの例は、符号分割多元接続（ＣＤＭＡ）システム、時分割多元接続（ＴＤＭＡ）システム、周波数分割多元接続（ＦＤＭＡ）システム、ロングタームエボリューション（ＬＴＥ（登録商標）：Long Term Evolution）アドバンストシステムを含む第３世代パートナーシッププロジェクト（３ＧＰＰ（登録商標））ＬＴＥ、および直交周波数分割多元接続（ＯＦＤＭＡ）システムを含む。
【０００４】
[0004]概して、ワイヤレス多元接続通信システムは、複数のワイヤレス端末のための通信を同時にサポートすることができる。各端末は、順方向リンクおよび逆方向リンク上での送信を介して１つまたは複数の基地局と通信する。順方向リンク（またはダウンリンク）は基地局から端末への通信リンクを指し、逆方向リンク（またはアップリンク）は端末から基地局への通信リンクを指す。この通信リンクは、単入力単出力、多入力単出力または多入力多出力（ＭＩＭＯ）システムを介して確立され得る。
【０００５】
[0005]ワイヤレス通信ネットワークは、いくつかのワイヤレスデバイスのための通信をサポートすることができるいくつかの基地局を含むことができる。ワイヤレスデバイスはユーザ機器（ＵＥ）を含むことができる。いくつかのＵＥは、基地局、別のリモートデバイス、または何らかの他のエンティティと通信することができる、リモートデバイスを含むことができる、マシンタイプ通信（ＭＴＣ）ＵＥと見なされ得る。マシンタイプ通信（ＭＴＣ）は、通信の少なくとも１つの端部において少なくとも１つのリモートデバイスを伴う通信を指すことができ、必ずしも人間とのやりとりを必要とするとは限らない１つまたは複数のエンティティを伴うデータ通信の形を含むことができる。ＭＴＣ  ＵＥは、たとえば、公衆陸上移動網（ＰＬＭＮ）を通して、ＭＴＣサーバおよび／または他のＭＴＣデバイスとのＭＴＣ通信が可能であるＵＥを含むことができる。
【発明の概要】
【０００６】
[0006]本開示のシステム、方法、およびデバイスは、それぞれいくつかの態様を有し、それらの態様のうちの単一の態様が単独で本開示の望ましい属性を担うとは限らない。ここで、以下の特許請求の範囲によって表されるような本開示の範囲を限定することなく、いくつかの特徴が手短に論じられる。この検討を考慮した後に、特に「発明を実施するための形態」と題するセクションを読んだ後に、本開示の特徴が、ワイヤレスネットワークにおけるアクセスポイントと局との間の改善された通信を含む利点をいかに提供するかが理解されよう。
【０００７】
[0007]本開示のいくつかの態様は、ワイヤレスノードによるワイヤレス通信のための方法を提供する。その方法は一般に、バンドル送信のバンドル長に基づいて、バンドル送信において送信する１組の追加の基準信号を決定することと、決定に基づいて、バンドル送信、基準信号および追加の基準信号を送信することとを含む。
【０００８】
[0008]本開示のいくつかの態様は、ワイヤレスノードによるワイヤレス通信のための方法を提供する。その方法は一般に、バンドル送信のバンドル長に基づいて、バンドル送信が１組の追加の基準信号を備えると決定することと、決定に基づいて、バンドル送信、基準信号および追加の基準信号を受信することとを含む。
【０００９】
[0009]本開示のいくつかの態様は、ワイヤレスノードによるワイヤレス通信のための方法を提供する。その方法は一般に、バンドル送信のバンドル長に基づいて、バンドル送信において送信される１つまたは複数の基準信号に適用する追加の送信電力を決定することと、決定に基づいて、バンドル送信および基準信号を送信することとを含む。
【００１０】
[0010]本開示のいくつかの態様は、ワイヤレスノードによるワイヤレス通信のための方法を提供する。その方法は一般に、バンドル送信のバンドル長に基づいて、バンドル送信において送信されるときに別のワイヤレスノードによって１つまたは複数の基準信号に適用される追加の送信電力を決定することと、決定に基づいて、バンドル送信および基準信号を処理することとを含む。
【００１１】
[0011]本開示の特定の態様は、ワイヤレス通信のための装置を提供する。その装置は一般に、バンドル送信のバンドル長に基づいて、バンドル送信において送信する１組の追加の基準信号を決定し、決定に基づいて、バンドル送信、基準信号および追加の基準信号を送信するように構成される少なくとも１つのプロセッサと、少なくとも１つのプロセッサに結合されるメモリとを含む。
【００１２】
[0012]本開示の特定の態様は、ワイヤレス通信のための装置を提供する。その装置は一般に、バンドル送信のバンドル長に基づいて、バンドル送信が１組の追加の基準信号を備えると決定し、決定に基づいて、バンドル送信、基準信号および追加の基準信号を受信するように構成される少なくとも１つのプロセッサと、少なくとも１つのプロセッサに結合されるメモリとを含む。
【００１３】
[0013]本開示の特定の態様は、ワイヤレス通信のための装置を提供する。その装置は一般に、バンドル送信のバンドル長に基づいて、バンドル送信において送信される１つまたは複数の基準信号に適用する追加の送信電力を決定し、決定に基づいて、バンドル送信および基準信号を送信するように構成される少なくとも１つのプロセッサと、少なくとも１つのプロセッサに結合されるメモリとを含む。
【００１４】
[0014]本開示の特定の態様は、ワイヤレス通信のための装置を提供する。その装置は一般に、バンドル送信のバンドル長に基づいて、バンドル送信において送信されるときに別のワイヤレスノードによって１つまたは複数の基準信号に適用された追加の送信電力を決定し、決定に基づいて、バンドル送信および基準信号を処理するように構成される少なくとも１つのプロセッサと、少なくとも１つのプロセッサに結合されるメモリとを含む。
【００１５】
[0015]本開示の特定の態様は、ワイヤレス通信のための装置を提供する。その装置は一般に、バンドル送信のバンドル長に基づいて、バンドル送信において送信する１組の追加の基準信号を決定するための手段と、決定に基づいて、バンドル送信、基準信号および追加の基準信号を送信するための手段とを含む。
【００１６】
[0016]本開示の特定の態様は、ワイヤレス通信のための装置を提供する。その装置は一般に、バンドル送信のバンドル長に基づいて、バンドル送信が１組の追加の基準信号を備えると決定するための手段と、決定に基づいて、バンドル送信、基準信号および追加の基準信号を受信するための手段とを含む。
【００１７】
[0017]本開示の特定の態様は、ワイヤレス通信のための装置を提供する。その装置は一般に、バンドル送信のバンドル長に基づいて、バンドル送信において送信される１つまたは複数の基準信号に適用する追加の送信電力を決定するための手段と、決定に基づいて、バンドル送信および基準信号を送信するための手段とを含む。
【００１８】
[0018]本開示の特定の態様は、ワイヤレス通信のための装置を提供する。その装置は一般に、バンドル送信のバンドル長に基づいて、バンドル送信において送信されるときに別のワイヤレスノードによって１つまたは複数の基準信号に適用された追加の送信電力を決定するための手段と、決定に基づいて、バンドル送信および基準信号を処理するための手段とを含む。
【００１９】
[0019]本開示のいくつかの態様は、ワイヤレス通信のためのコンピュータ可読媒体を提供する。そのコンピュータ可読媒体は一般に、バンドル送信のバンドル長に基づいて、バンドル送信において送信する１組の追加の基準信号を決定するコードと、決定に基づいて、バンドル送信、基準信号および追加の基準信号を送信するコードとを含む。
【００２０】
[0020]本開示のいくつかの態様は、ワイヤレス通信のためのコンピュータ可読媒体を提供する。そのコンピュータ可読媒体は一般に、バンドル送信のバンドル長に基づいて、バンドル送信が１組の追加の基準信号を備えると決定するコードと、決定に基づいて、バンドル送信、基準信号および追加の基準信号を受信するコードとを含む。
【００２１】
[0021]本開示のいくつかの態様は、ワイヤレス通信のためのコンピュータ可読媒体を提供する。そのコンピュータ可読媒体は一般に、バンドル送信のバンドル長に基づいて、バンドル送信において送信される１つまたは複数の基準信号に適用する追加の送信電力を決定するコードと、決定に基づいて、バンドル送信および基準信号を送信するコードとを含む。
【００２２】
[0022]本開示のいくつかの態様は、ワイヤレス通信のためのコンピュータ可読媒体を提供する。そのコンピュータ可読媒体は一般に、バンドル送信のバンドル長に基づいて、バンドル送信において送信されるときに別のワイヤレスノードによって１つまたは複数の基準信号に適用された追加の送信電力を決定するコードと、決定に基づいて、バンドル送信および基準信号を処理するコードとを含む。
【００２３】
[0023]方法、装置、システム、コンピュータプログラム製品、コンピュータ可読媒体、および処理システムを含む多数の他の態様が提供される。
【００２４】
[0024]本開示の先に列挙された特徴が詳細に理解され得るように、そのうちのいくつかが添付の図面に示される複数の態様を参照することによって、先に手短に要約された説明が、より具体的に説明され得る。ただし、その説明は等しく実効的な他の態様を認めることができるので、添付の図面は、本開示のいくつかの典型的な態様のみを示し、したがって、本開示の範囲を限定するものと見なされるべきではないことに留意されたい。
【図面の簡単な説明】
【００２５】
【図１】[0025]本開示のいくつかの態様による、例示的なワイヤレス通信ネットワークを概念的に示すブロック図。
【図２】[0026]本開示のいくつかの態様による、ワイヤレス通信ネットワークにおいてユーザ機器（ＵＥ）と通信している発展型ノードＢ（ｅＮＢ）の一例を概念的に示すブロック図。
【図３】[0027]本開示のいくつかの態様による、ワイヤレス通信ネットワークにおいて使用するための特定の無線アクセス技術（ＲＡＴ）のための例示的なフレーム構造を概念的に示すブロック図。
【図４】[0028]本開示のいくつかの態様による、ノーマルサイクリックプレフィックスを有するダウンリンクのための例示的なサブフレームフォーマットを示す図。
【図５】[0029]本開示のいくつかの態様による、追加の基準信号が送信されるダウンリンクのための２つの例示的なサブフレームフォーマットを示す図。
【図６Ａ】[0030]本開示のいくつかの態様による、例示的なバンドル送信を示す図。
【図６Ｂ】本開示のいくつかの態様による、例示的なバンドル送信を示す図。
【図７】[0031]本開示のいくつかの態様による、ワイヤレスノードによって実行されるワイヤレス通信のための例示的な動作を示す図。
【図８】[0032]本開示のいくつかの態様による、ワイヤレスノードによって実行されるワイヤレス通信のための例示的な動作を示す図。
【図９】[0033]本開示のいくつかの態様による、バンドル送信の例示的なバーストを示す図。
【図１０】[0034]本開示のいくつかの態様による、ワイヤレスノードによって実行されるワイヤレス通信のための例示的な動作を示す図。
【図１１】[0035]本開示のいくつかの態様による、ワイヤレスノードによって実行されるワイヤレス通信のための例示的な動作を示す図。
【図１２】[0036]本開示のいくつかの態様による、例示的な周波数ホッピングバンドル送信を示す図。
【図１３】[0037]本開示のいくつかの態様による、例示的な周波数ホッピングバンドル送信を示す図。
【発明を実施するための形態】
【００２６】
[0038]本開示の態様は、低コスト（ＬＣ）マシンタイプ通信（ＭＴＣ）デバイス、ＬＣエンハンストＭＴＣ（ｅＭＴＣ）デバイス、モノのインターネット（ＩｏＴ）（たとえば、狭帯域ＩＯＴ（ＮＢ−ＩｏＴ））デバイス、あらゆるモノのインターネット（ＩｏＥ）デバイスなどの、限られた通信リソースを用いるデバイスのためのカバレッジを拡張するための技法および装置を提供する。その態様は、基準信号（ＲＳ）に対する拡張およびＲＳ送信のための技法を含む。ＭＴＣデバイスなどのいくつかのデバイスのカバレッジを拡張するために、いくつかの送信が送信のバンドルとして送信され、たとえば、同じ情報が複数のサブフレームにわたって送信される「バンドリング」が利用され得る。ワイヤレスノードは、ワイヤレスデバイス、ＵＥ、基地局（ＢＳ）、発展型またはエンハンストＮｏｄｅＢ（ｅＮＢ）、リレー、リピータ、フェムトセル、ピコセルなどとすることができる。簡単にするために、ＭＴＣ、ｅＭＴＣ、ＩｏＴ、ＩｏＥなどが一般に、ＭＴＣと呼ばれ得る。
【００２７】
[0039]長い送信時間間隔（ＴＴＩ）バンドリングを伴う大きなカバレッジ拡張の場合に、チャネル推定がボルトネックである。すなわち、送信機と受信機とのチャネル状態を推定することによって、長いＴＴＩバンドリングを伴う送信の場合のデータ伝送速度を高めることができるようになり得る。しかしながら、（たとえば、カバレッジ拡張のために）バンドル送信を受信する受信機は、受信機がチャネル状態を推定し、バンドル送信を復号できる前に、バンドル送信の大部分から基準信号を受信し、記憶することが必要な場合がある。
【００２８】
[0040]本開示の態様によれば、ＲＳ密度を高めることが、チャネル推定を改善し、ボトルネックを取り除くことができるが、ＲＳ密度を高めるときに他の問題に直面する。第１の問題は、異なるバンドル長が異なるＲＳ（たとえば、パイロット）密度を必要とする場合があることであり、本開示の態様によれば、異なるバンドル長の送信にＲＳ密度を適応させるための技法が提供される。ＲＳ密度を適応させることは、１組の送信リソースの１シンボル期間、スロットまたはサブフレーム内で、すべてのリソース要素（ＲＥ）において基準信号を送信することを含むことができる。
【００２９】
[0041]第２の問題は、セル固有基準信号（ＣＲＳ）、復調基準信号（ＤＭＲＳ）、およびチャネル状態情報基準信号（ＣＳＩ−ＲＳ）などの、ワイヤレス通信内に数多くのレガシー基準信号が存在することであり、追加の（たとえば、新たな）ＲＳが、レガシー基準信号と重なり合うのを回避すべきであるということである。したがって、本開示の態様によれば、レガシー基準信号と重なり合わない基準信号の設計が提供される。
【００３０】
[0042]第３の問題は、低コストデバイス（たとえば、ＭＴＣデバイスおよびｅＭＴＣデバイス）が、受信された信号のすべてのデータシンボルを記憶し、チャネル推定を実行し、その後、記憶されたデータシンボルを復調するのを回避すべきであることである。このタイプの動作（すべてのデータシンボルを記憶し、チャネル推定を実行し、その後、復調すること）は、データシンボルを記憶するための大きなメモリを必要とする場合があり、それにより、デバイスのコストを上げる。したがって、後にさらに詳細に説明されるように、本明細書において提示される技法によれば、デバイスが、カバレッジ拡張状態において、大量のデータシンボルを記憶することなく、チャネル推定および復調を実行できるようになる。
【００３１】
[0043]第４の問題は、拡張物理ダウンリンク制御チャネル（ｅＰＤＣＣＨ）および物理アップリンク制御チャネル（ＰＵＣＣＨ）のようないくつかのチャネルの場合に、複数のユーザのための送信が１つのリソースブロック（ＲＢ）内に多重化される場合があり、追加の（たとえば、新たな）ＲＳの送信が、そのＲＢ内でそれらのチャネルの多重化を可能にすべきであることである。したがって、本明細書において提示される技法によれば、追加のＲＳを多重化されたチャネルと多重化できるようにするために、多重化されたチャネル（たとえば、ｅＰＤＣＣＨおよびＰＵＣＣＨ）のために割り振られる同じリソース内で既知の変調シンボルとともに追加のＲＳを送信できるようになる。たとえば、ｅＰＤＣＣＨのための追加のＲＳは、ｅＰＤＣＣＨに割り振られるリソース（たとえば、バンドル）の第１のサブフレーム内で送信され得る。第２の例において、ＰＵＣＣＨのための追加のＲＳは、ＰＵＣＣＨに割り振られるリソースの第１のサブフレーム内で送信され得る。
【００３２】
[0044]本開示の態様によれば、送信において基準信号の送信電力を高めることが、チャネル推定ボトルネックを取り除くことができる。後にさらに詳細に説明されるように、本明細書において提示される技法によれば、デバイスがバンドル送信内で基準信号に追加の送信電力を適用できるようになる。同様に、本明細書において提示される技法によれば、デバイスが、バンドル送信を受信し、そのバンドル送信内で基準信号に適用された追加の送信電力を決定し、バンドル送信および基準信号を処理できるようになる。
【００３３】
[0045]本明細書において説明される技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなどの種々のワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実現することができる。ＵＴＲＡは、広帯域ＣＤＭＡ（Ｗ−ＣＤＭＡ（登録商標））、時分割同期ＣＤＭＡ（ＴＤ−ＳＣＤＭＡ）、およびＣＤＭＡの他の変形を含む。ｃｄｍａ２０００は、ＩＳ−２０００、ＩＳ−９５およびＩＳ−８５６標準規格をカバーする。ＴＤＭＡネットワークは、モバイル通信用グローバルシステム（ＧＳＭ（登録商標））などの無線技術を実現することができる。ＯＦＤＭＡネットワークは、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実現することができる。ＵＴＲＡおよびＥ−ＵＴＲＡは、ユニバーサルモバイルテレコミュニケーションズシステム（ＵＭＴＳ）の一部である。周波数分割複信（ＦＤＤ）と時分割複信（ＴＤＤ）の両方における３ＧＰＰロングタームエボリューション（ＬＴＥ）およびＬＴＥ−アドバンスト（ＬＴＥ−Ａ）は、ダウンリンク上ではＯＦＤＭＡを利用し、アップリンク上ではＳＣ−ＦＤＭＡを利用するＥ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。ｃｄｍａ２０００およびＵＭＢは、「第３世代パートナーシッププロジェクト２」（３ＧＰＰ２）と称する団体からの文書に記載されている。本明細書において説明される技法は、上記のワイヤレスネットワークおよび無線技術、ならびに他のワイヤレスネットワークおよび無線技術のために使用され得る。明確にするために、本技法のいくつかの態様が以下ではＬＴＥ／ＬＴＥ−Ａについて説明され、以下の説明の大部分でＬＴＥ／ＬＴＥ−Ａ用語が使用される。ＬＴＥおよびＬＴＥ−Ａは、概してＬＴＥと呼ばれる。
【００３４】
[0046]図１は、本開示の態様が実施され得る、基地局（ＢＳ）およびユーザ機器（ＵＥ）を有する例示的なワイヤレス通信ネットワーク１００を示す。
【００３５】
[0047]たとえば、ワイヤレス通信ネットワーク１００内のデバイスが、基準信号密度を高めたバンドル送信を用いて通信することができる。本明細書において提示される技法によれば、ワイヤレス通信ネットワーク１００内のＢＳおよびＬＣ  ＵＥは、バンドル送信において送信する１組の追加の基準信号を決定し、追加の基準信号を伴うバンドル送信をワイヤレス通信ネットワーク１００内の他のＢＳおよびＵＥに送信することができる。また、本明細書において提示される技法によれば、ワイヤレス通信ネットワーク１００内のＢＳおよび／またはＬＣ  ＵＥは、バンドル送信が追加の基準信号を備えることを決定し、バンドル送信を受信する際に追加の基準信号を使用することができる。
【００３６】
[0048]ワイヤレス通信ネットワーク１００は、ＬＴＥネットワークまたは何らかの他のワイヤレスネットワークとすることができる。ワイヤレス通信ネットワーク１００は、いくつかの発展型ノードＢ（ｅＮＢ）１１０と他のネットワークエンティティとを含むことができる。ｅＮＢは、ユーザ機器（ＵＥ）と通信するエンティティであり、基地局、ノードＢ、アクセスポイント（ＡＰ）などと呼ばれることもある。各ｅＮＢは、特定の地理的エリアに通信カバレッジを提供することができる。３ＧＰＰでは、「セル」という用語は、この用語が使用される状況に応じて、ｅＮＢのカバレッジエリアおよび／またはこのカバレッジエリアにサービスを提供しているｅＮＢサブシステムを指すことができる。
【００３７】
[0049]ｅＮＢは、マクロセル、ピコセル、フェムトセル、および／または他のタイプのセルのための通信カバレッジを提供することができる。マクロセルは、比較的大きい地理的エリア（たとえば、半径数キロメートル）をカバーすることができ、サービスに加入しているＵＥによる無制限アクセスを許すことができる。ピコセルは、比較的小さい地理的エリアをカバーすることができ、サービスに加入しているＵＥによる無制限のアクセスを許すことができる。フェムトセルは、比較的小さい地理的エリア（たとえば、住宅）をカバーすることができ、フェムトセルとの関連を有するＵＥ（たとえば、限定加入者グループ（ＣＳＧ：Closed Subscriber Group）中のＵＥ）による制限付きアクセスを許すことができる。マクロセル用のｅＮＢは、マクロｅＮＢと呼ばれることがある。ピコセルのためのｅＮＢは、ピコｅＮＢと呼ばれることがある。フェムトセル用のｅＮＢは、フェムトｅＮＢまたはホームｅＮＢ（ＨｅＮＢ）と呼ばれることがある。図１に示される例では、ｅＮＢ１１０ａは、マクロセル１０２ａ用のマクロｅＮＢである場合があり、ｅＮＢ１１０ｂは、ピコセル１０２ｂ用のピコｅＮＢである場合があり、ｅＮＢ１１０ｃは、フェムトセル１０２ｃ用のフェムトｅＮＢである場合がある。ｅＮＢは、１つまたは複数の（たとえば、３つの）セルをサポートし得る。「ｅＮＢ」、「基地局」、および「セル」という用語は、本明細書では互換的に使用され得る。
【００３８】
[0050]ワイヤレス通信ネットワーク１００はまた、中継局を含み得る。中継局は、上流局（たとえば、ｅＮＢまたはＵＥ）からデータの送信を受信し、そのデータの送信を下流局（たとえば、ＵＥまたはｅＮＢ）に送ることができるエンティティである。中継局はまた、他のＵＥに対する送信を中継することができるＵＥであり得る。図１に示されている例では、中継（局）ｅＮＢ１１０ｄは、ｅＮＢ１１０ａとＵＥ１２０ｄとの間の通信を可能にするために、マクロｅＮＢ１１０ａおよびＵＥ１２０ｄと通信し得る。中継局はまた、リレーｅＮＢ、リレー基地局、リレーなどと呼ばれることもある。
【００３９】
[0051]ワイヤレス通信ネットワーク１００は、異なるタイプのｅＮＢ、たとえば、マクロｅＮＢ、ピコｅＮＢ、フェムトｅＮＢ、リレーｅＮＢなどを含む異種ネットワークであり得る。これらの異なるタイプのｅＮＢは、異なる送信電力レベル、異なるカバレージエリア、およびワイヤレス通信ネットワーク１００における干渉に対する異なる影響を有し得る。たとえば、マクロｅＮＢは、高い送信電力レベル（たとえば、５〜４０Ｗ）を有し得るが、ピコｅＮＢ、フェムトｅＮＢ、およびリレーｅＮＢは、より低い送信電力レベル（たとえば、０．１〜２Ｗ）を有し得る。
【００４０】
[0052]ネットワークコントローラ１３０は、１組のｅＮＢに結合することができ、これらのｅＮＢに協調および制御を提供することができる。ネットワークコントローラ１３０はバックホールを介してｅＮＢと通信することができる。ｅＮＢはまた、たとえば、ワイヤレスバックホールまたは有線バックホールを介して直接または間接的に互いに通信することもできる。
【００４１】
[0053]ＵＥ１２０（たとえば、１２０ａ、１２０ｂ、１２０ｃ）は、ワイヤレス通信ネットワーク１００全体にわたって分散され得、各ＵＥは固定式または移動可能であり得る。ＵＥは、アクセス端末、端末、ワイヤレス端末、ワイヤレスデバイス、局、移動局（ＭＳ）、加入者ユニット、局（ＳＴＡ）などと呼ばれることもある。ＵＥの例は、セルラー電話（たとえば、スマートフォン）、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレット、ネットブック、スマートブック、ウルトラブック、ゲーミングデバイス、ナビゲーションデバイス、バーチャルリアリティデバイス、ウェアラブルデバイス（たとえば、スマートグラス／ゴーグル／ヘッドアップディスプレイ、スマートウォッチ、スマートリストバンド、スマートクロージング）、ドローン、ロボット／ロボティックデバイス、車両用デバイス、医療用デバイスなどを含むことができる。
【００４２】
[0054]ワイヤレス通信ネットワーク１００（たとえば、ＬＴＥネットワーク）内の１つまたは複数のＵＥ１２０は、たとえば、低コストＭＴＣ  ＵＥ、低コストｅＭＴＣ  ＵＥ、低コスト狭帯域モノのインターネット（ＮＢ−ＩｏＴ）ＵＥなどの低コスト（ＬＣ）、低データレートデバイスとすることもできる。ＭＴＣ／ｅＭＴＣ  ＵＥおよび他のタイプのＵＥは、ＮＢ−ＩｏＴデバイスのような、モノのインターネット（ＩｏＴ）またはあらゆるモノのインターネット（ＩｏＥ）デバイスとして実現され得る。ＭＴＣ／ｅＭＴＣ／ＩｏＴ／ＩｏＥ  ＵＥは、たとえば、センサー、メーター、モニタ、ロケーションタグ、ドローン、トラッカー、ロボット／ロボティックデバイスなどのデバイスを含む。ＬＣ  ＵＥは、ＬＴＥネットワーク内のレガシーＵＥおよび／またはアドバンストＵＥと共存することができ、ワイヤレスネットワーク内の他のＵＥ（たとえば、非ＬＣ  ＵＥ）と比べて制限された１つまたは複数の能力を有することができる。たとえば、ＬＴＥネットワーク内のレガシーＵＥおよび／またはアドバンストＵＥと比べて、ＬＣ  ＵＥは、（レガシーＵＥに対する）最大帯域幅の縮小、単一の受信無線周波数（ＲＦ）チェーン、ピーク速度の低下、送信電力の低減、ランク１送信への制限、半二重動作などのうちの１つまたは複数を用いて動作することができる。本明細書において使用されるときに、ＭＴＣデバイス、ｅＭＴＣデバイス、ＮＢ−ＩｏＴデバイスなどの限られた通信リソースを用いるデバイスは、概してＬＣ  ＵＥと呼ばれる。同様に、（たとえば、ＬＴＥにおける）レガシーＵＥおよび／またはアドバンストＵＥなどのレガシーデバイスは、概して非ＬＣ  ＵＥと呼ばれる。
【００４３】
[0055]図２は、それぞれ、図１中のＢＳ／ｅＮＢ１１０のうちの１つであり得るＢＳ／ｅＮＢ１１０および図１中のＵＥ１２０のうちの１つであり得るＵＥ１２０の設計のブロック図である。ＢＳ１１０はＴ個のアンテナ２３４ａ〜２３４ｔを備えることができ、ＵＥ１２０はＲ個のアンテナ２５２ａ〜２５２ｒを備えることができ、ただし、一般にＴ≧１およびＲ≧１である。
【００４４】
[0056]ＢＳ１１０において、送信プロセッサ２２０が、１つまたは複数のＵＥについてデータソース２１２からデータを受信し、ＵＥから受信されたチャネル品質インジケータ（ＣＱＩ）に基づいて各ＵＥのための１つまたは複数の変調およびコーディング方式（ＭＣＳ）を選択し、そのＵＥのために選択された（１つまたは複数の）ＭＣＳに基づいて各ＵＥのためのデータを処理（たとえば、符号化および変調）し、すべてのＵＥにデータシンボルを与えることができる。送信プロセッサ２２０はまた、（たとえば、半静的リソース区分情報（ＳＲＰＩ：semi-static resource partitioning information）などのための）システム情報および制御情報（たとえば、ＣＱＩ要求、許可、上位レイヤシグナリングなど）を処理し、オーバーヘッドシンボルおよび制御シンボルを与えることができる。プロセッサ２２０はまた、基準信号（たとえば、共通基準信号（ＣＲＳ：common reference signal））および同期信号（たとえば、プライマリ同期信号（ＰＳＳ：primary synchronization signal）およびセカンダリ同期信号（ＳＳＳ：secondary synchronization signal））のための基準シンボルを生成することができる。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実行することができ、Ｔ個の出力シンボルストリームをＴ個の変調器（ＭＯＤ）２３２ａ〜２３２ｔに与えることができる。各ＭＯＤ２３２は、出力サンプルストリームを取得するために、（たとえば、ＯＦＤＭなどのために）それぞれの出力シンボルストリームを処理することができる。各ＭＯＤ２３２はさらに、ダウンリンク信号を取得するために、出力サンプルストリームを処理（たとえば、アナログへの変換、増幅、フィルタ処理、およびアップコンバート）することができる。変調器２３２ａ〜２３２ｔからのＴ個のダウンリンク信号は、それぞれＴ個のアンテナ２３４ａ〜２３４ｔを介して送信され得る。
【００４５】
[0057]ＵＥ１２０において、アンテナ２５２ａ〜２５２ｒが、ＢＳ１１０および／または他のＢＳからダウンリンク信号を受信することができ、受信信号をそれぞれ復調器（ＤＥＭＯＤ）２５４ａ〜２５４ｒに与えることができる。各ＤＥＭＯＤ２５４は、入力サンプルを取得するために、その受信信号を調整（たとえば、フィルタ処理、増幅、ダウンコンバート、およびデジタル化）することができる。各ＤＥＭＯＤ２５４はさらに、受信シンボルを取得するために、（たとえば、ＯＦＤＭなどのために）入力サンプルを処理することができる。ＭＩＭＯ検出器２５６は、すべてのＲ個の復調器２５４ａ〜２５４ｒから受信シンボルを取得し、適用可能な場合、受信シンボルに対してＭＩＭＯ検出を実行し、検出されたシンボルを与えることができる。受信プロセッサ２５８は、検出されたシンボルを処理（たとえば、復調および復号）し、ＵＥ１２０のための復号されたデータをデータシンク２６０に与え、復号された制御情報およびシステム情報をコントローラ／プロセッサ２８０に与えることができる。チャネルプロセッサは、基準信号受信電力（ＲＳＲＰ）、受信信号強度インジケータ（ＲＳＳＩ）、基準信号受信品質（ＲＳＲＱ）、ＣＱＩなどを決定することができる。
【００４６】
[0058]アップリンク上では、ＵＥ１２０において、送信プロセッサ２６４が、データソース２６２からのデータと、コントローラ／プロセッサ２８０からの（たとえば、ＲＳＲＰ、ＲＳＳＩ、ＲＳＲＱ、ＣＱＩなどを備える報告のための）制御情報とを受信し、処理することができる。プロセッサ２６４はまた、１つまたは複数の基準信号のための基準シンボルを生成することができる。送信プロセッサ２６４からのシンボルは、適用可能な場合はＴＸ  ＭＩＭＯプロセッサ２６６によってプリコーディングされ、（たとえば、ＳＣ−ＦＤＭ、ＯＦＤＭなどのために）ＭＯＤ２５４ａ〜２５４ｒによってさらに処理され、ＢＳ１１０に送信され得る。ＢＳ１１０において、ＵＥ１２０および他のＵＥからのアップリンク信号は、アンテナ２３４によって受信され、ＤＥＭＯＤ２３２によって処理され、適用可能な場合はＭＩＭＯ検出器２３６によって検出され、ＵＥ１２０によって送られた、復号されたデータおよび制御情報を取得するために、受信プロセッサ２３８によってさらに処理され得る。プロセッサ２３８は、復号されたデータをデータシンク２３９に与え、復号された制御情報をコントローラ／プロセッサ２４０に与えることができる。ＢＳ１１０は、通信ユニット２４４を含み、通信ユニット２４４を介してネットワークコントローラ１３０に通信することができる。ネットワークコントローラ１３０は、通信ユニット２９４と、コントローラ／プロセッサ２９０と、メモリ２９２とを含むことができる。
【００４７】
[0059]コントローラ／プロセッサ２４０および２８０は、それぞれＢＳ１１０およびＵＥ１２０における動作を指示することができる。たとえば、ＢＳ１１０におけるコントローラ／プロセッサ２４０および／または他のプロセッサおよびモジュールは、図７、図８、図１０および図１１に示されている動作７００、８００、１０００および１１００および／または本明細書において説明される技法のための他のプロセスを実行または指示することができる。同様に、ＵＥ１２０におけるコントローラ／プロセッサ２８０および／または他のプロセッサおよびモジュールは図７、図８、図１０および図１１に示されている動作７００、８００、１０００および１１００および／または本明細書において説明される技法のための他のプロセスを実行または指示することができる。メモリ２４２および２８２は、それぞれＢＳ１１０およびＵＥ１２０のためのデータおよびプログラムコードを記憶することができる。スケジューラ２４６は、ダウンリンク上および／またはアップリンク上のデータ送信のためにＵＥをスケジューリングすることができる。
【００４８】
[0060]図３は、ＬＴＥにおけるＦＤＤのための例示的なフレーム構造３００を示す。ダウンリンクおよびアップリンクの各々についての送信タイムラインは、無線フレームの単位に区分され得る。各無線フレームは、所定の持続時間（たとえば、１０ミリ秒（ｍｓ））を有することができ、０〜９のインデックスを有する１０個のサブフレームに区分され得る。各サブフレームは２つのスロットを含むことができる。したがって、各無線フレームは、０〜１９のインデックスを有する２０個のスロットを含むことができる。各スロットは、Ｌ個のシンボル期間、たとえば、（図２に示されるように）ノーマルサイクリックプレフィックスの場合は７つのシンボル期間、または拡張サイクリックプレフィックスの場合は６つのシンボル期間を含むことができる。各サブフレーム中の２Ｌ個のシンボル期間には０〜２Ｌ−１のインデックスが割り当てられ得る。
【００４９】
[0061]ＬＴＥでは、ｅＮＢは、ｅＮＢによってサポートされる各セルについてシステム帯域幅の中心の１．０８ＭＨｚにおいてダウンリンク上でプライマリ同期信号（ＰＳＳ）とセカンダリ同期信号（ＳＳＳ）とを送信することができる。ＰＳＳおよびＳＳＳは、図３に示されているように、それぞれ、ノーマルサイクリックプレフィックスを有する各無線フレームのサブフレーム０および５中のシンボル期間６および５中に送信され得る。ＰＳＳおよびＳＳＳは、セル探索および捕捉のためにＵＥによって使用され得る。ｅＮＢは、ｅＮＢによってサポートされるセルごとにシステム帯域幅にわたってセル固有基準信号（ＣＲＳ：cell-specific reference signal）を送信することができる。ＣＲＳは、各サブフレームのいくつかのシンボル期間中に送信され、チャネル推定、チャネル品質測定、および／または他の機能を実行するためにＵＥによって使用され得る。ｅＮＢはまた、いくつかの無線フレームのスロット１中のシンボル期間０〜３中に物理ブロードキャストチャネル（ＰＢＣＨ：physical broadcast channel）を送信することができる。ＰＢＣＨは何らかのシステム情報を搬送することができる。ｅＮＢは、いくつかのサブフレームにおいて物理ダウンリンク共有チャネル（ＰＤＳＣＨ）上でシステム情報ブロック（ＳＩＢ）などの他のシステム情報を送信することができる。ｅＮＢは、サブフレームの最初のＢ個のシンボル期間において物理ダウンリンク制御チャネル（ＰＤＣＣＨ：physical downlink control channel）上で制御情報／データを送信することができ、ただし、Ｂはサブフレームごとに構成可能にすることができる。ｅＮＢは、各サブフレームの残りのシンボル期間中に、ＰＤＳＣＨ上でトラフィックデータおよび／または他のデータを送信することができる。
【００５０】
[0062]ＬＴＥにおけるＰＳＳ、ＳＳＳ、ＣＲＳ、およびＰＢＣＨは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００５１】
[0063]図４は、ノーマルサイクリックプレフィックスを有する、ダウンリンクのための２つの例示的なサブフレームフォーマット４１０および４２０を示す。ダウンリンクのための利用可能な時間周波数リソースはリソースブロックに区分され得る。各リソースブロックは、１つのスロット中で１２個のサブキャリアをカバーすることができ、いくつかのリソース要素を含むことができる。各リソース要素は、１つのシンボル期間中に１つのサブキャリアをカバーすることができ、実数値または複素数値であり得る１つの変調シンボルを送るために使用され得る。
【００５２】
[0064]サブフレームフォーマット４１０は、２つのアンテナを備えるｅＮＢのために使用され得る。ＣＲＳは、シンボル期間０、４、７、および１１中にアンテナ０および１から送信され得る。基準信号は、送信機および受信機によって事前に知られている信号であり、パイロットと呼ばれることもある。ＣＲＳは、たとえば、セル識別情報（ＩＤ）に基づいて生成された、セルに固有の基準信号である。図４において、ラベルＲaを有する所与のリソース要素の場合に、アンテナａからのそのリソース要素上で変調シンボルが送信される場合があり、他のアンテナからのそのリソース要素上で変調シンボルが送信されない場合がある。サブフレームフォーマット４２０は、４つのアンテナを備えるｅＮＢのために使用され得る。ＣＲＳは、シンボル期間０、４、７、および１１中にアンテナ０および１から、ならびに、シンボル期間１および８中にアンテナ２および３から送信され得る。サブフレームフォーマット４１０と４２０の両方について、ＣＲＳは、セルＩＤに基づいて決定され得る、均等に離間したサブキャリア上で送信され得る。異なるｅＮＢが、それらのセルＩＤに応じて、同じまたは異なるサブキャリア上でそれらのＣＲＳを送信することができる。サブフレームフォーマット４１０と４２０の両方について、ＣＲＳのために使用されないリソース要素が、データ（たとえば、トラフィックデータ、制御データ、および／または他のデータ）を送信するために使用され得る。
【００５３】
[0065]ＬＴＥにおけるＦＤＤのためのダウンリンクおよびアップリンクの各々について、インターレース構造が使用され得る。たとえば、０〜Ｑ−１のインデックスを有するＱ個のインターレースが定義される場合があり、ただし、Ｑは、４、６、８、１０、または何らかの他の値に等しい場合がある。各インターレースは、Ｑフレームだけ離間したサブフレームを含むことができる。具体的には、インターレースｑは、サブフレームｑ、ｑ＋Ｑ、ｑ＋２Ｑなどを含む場合があり、ただし、ｑ∈｛０，．．．，Ｑ−１｝である。
【００５４】
[0066]ワイヤレスネットワークは、ダウンリンクおよびアップリンク上でのデータ送信のためのハイブリッド自動再送要求（ＨＡＲＱ）をサポートすることができる。ＨＡＲＱの場合、送信機（たとえば、ｅＮＢ１１０）は、パケットが受信機（たとえば、ＵＥ１２０）によって正確に復号されるか、または何らかの他の終了条件に直面するまで、パケットの１つまたは複数の送信を送ることができる。同期ＨＡＲＱの場合、パケットのすべての送信は、単一のインターレースのサブフレーム中で送られ得る。非同期ＨＡＲＱの場合、パケットの各送信は、任意のサブフレーム中で送られ得る。
【００５５】
[0067]ＵＥは、複数のｅＮＢのカバレージ内に位置し得る。これらのｅＮＢのうちの１つが、そのＵＥにサービスを提供するために選択され得る。サービスを提供するｅＮＢは、受信信号強度、受信信号品質、経路損失などの様々な基準に基づいて選択され得る。受信信号品質は、信号対干渉＋雑音比（ＳＩＮＲ：signal-to-interference-plus-noise ratio）、または基準信号受信品質（ＲＳＲＱ：reference signal received quality）、または何らかの他のメトリックによって定量化され得る。ＵＥは、ＵＥが１つまたは複数の干渉するｅＮＢからの高い干渉を観測する場合がある支配的干渉シナリオにおいて動作する場合がある。
【００５６】
[0068]先に言及されたように、ワイヤレス通信ネットワーク（たとえば、ワイヤレス通信ネットワーク１００）内の１つまたは複数のＵＥは、ワイヤレス通信ネットワーク内の他の（非ＬＣ）デバイスと比べて、ＬＣ  ＵＥなどの限られた通信リソースを有するデバイスとすることができる。
【００５７】
[0069]いくつかのシステム、たとえば、ＬＴＥ  Ｒｅｌ−１３では、ＬＣ  ＵＥは、利用可能なシステム帯域幅内の（たとえば、６つ以下のリソースブロック（ＲＢ）の）特定の狭帯域割当てに制限され得る。しかしながら、ＬＣ  ＵＥは、たとえば、ＬＴＥシステム内で共存するために、ＬＴＥシステムの利用可能なシステム帯域幅内の異なる狭帯域領域に再同調する（たとえば、その領域において動作し、および／またはキャンプする）ことができる場合がある。
【００５８】
[0070]ＬＴＥシステム内での共存の別の例として、ＬＣ  ＵＥは、レガシー物理ブロードキャストチャネル（ＰＢＣＨ）（たとえば、概して、セルへの初期アクセスのために使用され得るパラメータを搬送するＬＴＥ物理チャネル）を（繰り返し）受信し、１つまたは複数のレガシー物理ランダムアクセスチャネル（ＰＲＡＣＨ）フォーマットをサポートできる場合がある。たとえば、ＬＣ  ＵＥは、複数のサブフレームにわたるＰＢＣＨの１回または複数回の追加の繰り返しでレガシーＰＢＣＨを受信できる場合がある。別の例として、ＬＣ  ＵＥは、ＬＴＥシステムにおけるｅＮＢに（たとえば、サポートされた１つまたは複数のＰＲＡＣＨフォーマットを用いて）ＰＲＡＣＨの１回または複数回の繰り返しを送信できる場合がある。ＰＲＡＣＨは、ＬＣ  ＵＥを識別するために使用され得る。また、繰り返されるＰＲＡＣＨ試行の回数は、ｅＮＢによって構成され得る。
【００５９】
[0071]ＬＣ  ＵＥはまた、リンクバジェット制限デバイスとすることができ、そのリンクバジェット制限に基づいて（たとえば、ＬＣ  ＵＥに、またはＬＣ  ＵＥから送信される異なる繰り返しメッセージ数を伴う）異なる動作モードにおいて動作することができる。たとえば、場合によっては、ＬＣ  ＵＥは、繰り返しがほとんどないか繰返しがない（たとえば、ＵＥがメッセージの受信および／または送信に成功するために必要とされる繰り返し数が少ない場合があるか、または、繰り返しが必要とされない場合もある）通常カバレッジモードにおいて動作することができる。代替的には、場合によっては、ＬＣ  ＵＥは、数多くの繰り返し数が起こり得るカバレッジ拡張（ＣＥ）モードにおいて動作することができる。たとえば、３２８ビットペイロードの場合、ＣＥモードにあるＬＣ  ＵＥは、ペイロードの受信に成功するために、ペイロードの１５０回以上の繰り返しを必要とする場合がある。
【００６０】
[0072]場合によっては、たとえば、ＬＴＥ  Ｒｅｌ−１３の場合も、ＬＣ  ＵＥは、ブロードキャスト送信およびユニキャスト送信の受信に関して制限された能力を有し得る。たとえば、ＬＣ  ＵＥによって受信されるブロードキャスト送信のための最大トランスポートブロック（ＴＢ）サイズは、１０００ビットに制限される場合がある。さらに、場合によっては、ＬＣ  ＵＥは、１サブフレーム内で２つ以上のユニキャストＴＢを受信できない場合がある。場合によっては（たとえば、先に説明されたＣＥモードと通常モードの両方の場合に）、ＬＣ  ＵＥは、サブフレーム内で２つ以上のブロードキャストＴＢを受信できない場合がある。さらに、場合によっては、ＬＣ  ＵＥは、サブフレーム内でユニキャストＴＢとブロードキャストＴＢとの両方を受信できない場合がある。
【００６１】
[0073]ＭＴＣの場合、ＬＴＥシステム内で共存するＬＣ  ＵＥは、ページング、ランダムアクセス手順などのいくつかの手順のための新たなメッセージをサポートすることもできる。（たとえば、これらの手順のためにＬＴＥ内で使用される従来のメッセージとは対照的である）。言い換えると、ページング、ランダムアクセス手順などのためのこれらの新しいメッセージは、非ＬＣ  ＵＥに関連する同様の手順のために使用されるメッセージとは別にすることができる。たとえば、ＬＴＥにおいて使用される従来のページングメッセージと比べて、ＬＣ  ＵＥは、非ＬＣ  ＵＥが監視および／または受信できない場合があるページングメッセージを監視および／または受信可能であり得る。同様に、従来のランダムアクセス手順において使用される従来のランダムアクセス応答（ＲＡＲ）メッセージと比べて、ＬＣ  ＵＥは、非ＬＣ  ＵＥによって受信され得ない場合もあるＲＡＲメッセージを受信可能であり得る。ＬＣ  ＵＥに関連付けられる新しいページングおよびＲＡＲメッセージは、１回または複数回繰り返される（たとえば、「バンドルされる」）場合もある。さらに、新しいメッセージについて異なる繰り返し数（たとえば、異なるバンドリングサイズ）がサポートされ得る。
【００６２】
[0074]先に言及されたように、カバレッジ拡張、ＭＴＣ動作が、通信するときに送信される基準信号（たとえば、ＤＭＲＳ）の密度を高めることによって、ワイヤレス通信ネットワークにおいて（たとえば、ＬＴＥまたは何らかの他のＲＡＴとの共存において）サポートされ得る。バンドル送信とともに使用されるとき、ＭＴＣ基準信号（ＭＲＳ）と呼ばれ得る追加のＲＳが、バンドルの先頭またはバンドルの中央において送信され得、ダウンリンクまたはアップリンク上で送信され得る。追加のＲＳをバンドルの先頭または中央に配置することによって、受信側デバイスは、関連するデータ送信全体を受信する前に、追加のＲＳに基づいて、チャネル推定を実行できるようになり得る。先に言及されたように、受信信号全体を記憶することなく、デバイスがチャネル推定を実行するとき、デバイスは、少ない内部メモリを使用して受信信号を記憶することができる。
【００６３】
[0075]本開示の態様によれば、追加の基準信号（たとえば、ＤＭＲＳ）は、バンドル送信とともに送信され得る。高密度基準信号と呼ばれ得る追加の基準信号は、バンドル送信のいくつかのサブフレームにおいて送信され得る。追加の基準信号は、バンドル送信のための現在の（たとえば、Ｒｅｌ−１２）技術においてデータを送信するために使用され得る送信のサブフレームのリソース要素（ＲＥ）において送信され得る。ワイヤレスノードが１つのサブフレームにおいて追加の基準信号（たとえば、ＭＲＳ）を送信するとき、そのサブフレームは、ＭＲＳサブフレームと呼ばれ得る。
【００６４】
[0076]本開示の態様の態様によれば、追加の基準信号が、図３および図４に示される信号（たとえば、ＣＲＳ、ＣＳＩ−ＲＳ、ＰＳＳ、ＳＳＳ、ＰＢＣＨ）のような他の信号によって使用されないＭＲＳサブフレームのすべてのＲＥにおいて送信され得る。
【００６５】
[0077]図５は、ノーマルサイクリックプレフィックスを伴うダウンリンクの場合の２つの例示的なサブフレームフォーマット５１０および５２０を示しており、追加の基準信号が、本開示の態様に従って、基地局によって送信される。例示的なサブフレームフォーマット５１０は、２つのアンテナを備えるｅＮＢによって使用され得る。例示的なサブフレームフォーマット５１０は、１シンボル期間長である制御領域５１２を有するが、本開示はそれには限定されず、制御領域は、たとえば、１〜４シンボル期間長とすることができる。基準シンボルのために使用されない制御領域内のＲＥは、制御チャネル（たとえば、ＰＣＦＩＣＨ、ＰＤＣＣＨ）のために使用され得る。上記のように、他の信号によって使用されない例示的なサブフレーム５１０のすべてのＲＥは、追加の基準信号を送信するために使用される。
【００６６】
[0078]例示的なサブフレームフォーマット５２０は、４つのアンテナを備えるｅＮＢによって使用され得る。例示的なサブフレームフォーマット５２０は、２シンボル期間長である制御領域５２２を有するが、本開示はそれには限定されず、制御領域は、たとえば、１〜４シンボル期間長とすることができる。例示的なサブフレームフォーマット５１０の場合と同様に、基準シンボルのために使用されない制御領域５２２内のＲＥは、制御チャネルのために使用され得る。
【００６７】
[0079]本開示の態様によれば、追加の基準信号が、図３および図４に示される信号のような他の信号によって使用されないＭＲＳサブフレームのスロットのすべてのＲＥにおいて送信され得る。たとえば、追加の基準信号は、他の信号によって使用されないサブフレームの第１のスロット（たとえば、例示的なサブフレームフォーマット５１０のシンボル期間１〜６）のすべてのＲＥにおいて送信され得る。
【００６８】
[0080]本開示の態様によれば、追加の基準信号が、図３および図４に示される信号のような他の信号によって使用されないＭＲＳサブフレームのシンボル期間のすべてのＲＥにおいて送信され得る。たとえば、追加の基準信号は、他の信号によって使用されないサブフレームの第１のシンボル期間（たとえば、例示的なサブフレームフォーマット５１０のシンボル期間１、例示的なサブフレームフォーマット５２０のシンボル期間２）のすべてのＲＥにおいて送信され得る。第２の例において、追加の基準信号が、他の信号によって使用されないサブフレームの１組の連続したシンボル期間（たとえば、例示的なサブフレームフォーマット５１０のシンボル期間１〜３、例示的なサブフレームフォーマット５２０のシンボル期間２〜５）のすべてのＲＥにおいて送信され得る。
【００６９】
[0081]図６Ａおよび図６Ｂは、追加のＲＳ（たとえば、ＭＲＳ）を伴う例示的なバンドル送信６０２、６０４、６２２および６２４を示す。図６Ａは、各バンドルの先頭においてＭＲＳサブフレーム６１２および６１４を伴う例示的なバンドル送信６０２および６０４を示す。図示されるように、長さＭ（たとえば、４、８など）のバンドルまたはバーストがＭＴＣデバイスに送信され得、複数のバンドルが、１つの期間中に２つ以上のＭＴＣデバイス（たとえば、ＭＴＣ１、ＭＴＣ２）に送信され得る。ＭＲＳは、図５を参照しながら先に言及されたように、ＭＲＳサブフレームの１シンボル期間のすべてのＲＥ、ＭＲＳサブフレームの１スロットのすべてのＲＥまたはＭＲＳサブフレームのすべてのＲＥにおいて送信され得る。データ送信にＲＳを追加することより、すべてのＲＳシンボル、スロットまたはサブフレームを規定するほうが簡単な場合があるので、単一のサブフレーム内に追加のＲＳを配置することは、通信仕様（たとえば、Ｒｅｌ−１３）への影響を少なくすることができる。各バンドルの残りの部分６１６および６１８は、示されたＭＴＣデバイスのためのデータを搬送することができる。
【００７０】
[0082]図６Ｂは、各バンドルの中央にＭＲＳサブフレーム６３２および６３４を有する例示的なバンドル送信６２２および６２４を示す。図示されるように、長さＭ（たとえば、４、８など）のバンドルまたはバーストがＭＴＣデバイスに送信され得、複数のバンドルが、１つの期間中に２つ以上のＭＴＣデバイス（たとえば、ＭＴＣ１、ＭＴＣ２）に送信され得る。ＭＲＳは、たとえば、ＭＲＳサブフレームの１シンボル期間のすべてのＲＥ、ＭＲＳサブフレームの１スロットのすべてのＲＥまたはＭＲＳサブフレームのすべてのＲＥにおいて送信され得る。各バンドルの残りの部分６３６、６３８、６４０および６４２は、示されたＭＴＣデバイスのためのデータを搬送することができる。
【００７１】
[0083]図６Ａおよび図６Ｂの例示的なフレーム構造において示されるように、ＭＴＣのために使用される１つまたは複数の狭帯域は、ＬＴＥによってサポートされるより広い帯域幅内で周波数分割多重化され得る。ＭＴＣおよび／またはｅＭＴＣ動作のために複数の狭帯域領域がサポートされ得る。場合によっては、ＭＴＣ動作における各ＵＥは、一度に１つの狭帯域領域（たとえば、１．４ＭＨｚまたは６ＲＢ）内で動作することができる。しかしながら、ＭＴＣ動作におけるＵＥは、いつでも、より広いシステム帯域幅内の他の狭帯域領域に再同調することができる。いくつかの例では、複数のＵＥが同じ狭帯域領域によってサービスを提供され得る。他の例では、複数のＵＥが、異なる狭帯域領域によって（たとえば、６ＲＢに及ぶ各狭帯域領域を用いて）サービスを提供され得る。また他の例では、ＵＥの異なる組合せが、１つまたは複数の同じ狭帯域領域および／あるいは１つまたは複数の異なる狭帯域領域によってサービスを提供され得る。
【００７２】
[0084]図６Ａおよび図６Ｂは各バンドルの先頭または中央においてＭＲＳサブフレームを送信することを示すが、本開示はそれには限定されない。本開示の態様によれば、ＭＲＳは、バンドルの先頭において、バンドルの中央において、バンドルの先頭および中央において、ならびにバンドルの各セグメントまたはバーストの先頭において送信され得、ただし、異なるバーストは周波数ホッピングすることができる。
【００７３】
[0085]周波数領域において、ＭＲＳは、後続の送信と同じ周波数において送信され得る。たとえば、バンドルＰＵＳＣＨが６ＲＢにおいてスケジューリングされる場合には、そのバンドルＰＵＳＣＨのためのＭＲＳは、スケジューリングされた６ＲＢと同じ周波数内でバンドルの第１のサブフレーム（たとえば、ＭＲＳサブフレーム）において送信され得る。第２の例において、バンドルＰＵＣＣＨが１ＲＢにおいてスケジューリングされる場合には、そのバンドルＰＵＣＣＨのためのＭＲＳは、スケジューリングされた１ＲＢと同じ周波数内でバンドルの第１のサブフレームにおいて送信され得る。これは、スケジューリングされた送信の周波数以外の周波数上で送信されるＭＲＳが、スケジューリングされた送信と同じチャネル状態で受信されない場合があるためであり得る。さらに、先に言及されたように、後続の送信と同じ周波数上でＭＲＳを送信することによって、多重化されたチャネルと多重化できるようになる。
【００７４】
[0086]本開示の態様によれば、ＭＲＳが他のチャネル（たとえば、ｅＰＤＣＣＨまたはＰＵＣＣＨ）のシグナリングと１つのＲＢにおいて多重化されるとき、ＭＲＳは、そのＲＢ内の（上記のような）他のチャネルに割り振られた同じ送信リソースを用いて既知の変調シンボルで送信され得、一方、そのチャネルに割り振られる他のＲＢ（たとえば、バンドル送信における他のＲＢ）が、そのチャネルを送信するために使用される。既知の変調シンボルでＭＲＳを送信することによって、多重化された信号を受信する他のノードが、他のチャネルを復号できるようになる。
【００７５】
[0087]先に言及されたように、異なるバンドル長の送信は、異なるＲＳ（たとえば、ＭＲＳ）密度を必要とし得る。本開示の態様によれば、短いバンドル（たとえば、４または８サブフレームバンドル）において１つのＭＲＳサブフレームを送信することに起因する容量損失(dimension loss)の結果として、ブロック誤り率（ＢＬＥＲ）が増加し、バンドル送信のデータスループットが全体的に低下し得る。本開示の態様によれば、ＭＲＳの送信は、送信のバンドルサイズによって決まり得る。これらの態様によれば、小さな（たとえば、８サブフレーム以下の）バンドル送信が送信されることになるとき、ＭＲＳは送信されるべきではない。また、これらの態様によれば、中程度（たとえば、９サブフレーム以上、１２８サブフレーム未満）のバンドル送信が送信されることになるとき、各バンドルで１つまたは複数の（たとえば、２つの）ＭＲＳサブフレームが送信されるべきである。そして、これらの態様によれば、大きな（たとえば、１２９サブフレーム以上）のバンドル送信が送信されることになるとき、各バンドルでさらに多くの（たとえば、４つの）ＭＲＳが送信されるべきである。
【００７６】
[0088]図７は、本開示の態様による、ワイヤレスノードによって実行され得るワイヤレス通信の例示的な動作７００を示す。
【００７７】
[0089]動作７００はブロック７０２において開始し、ワイヤレスノードは、バンドル送信のバンドル長に基づいて、バンドル送信において送信する１組の追加の基準信号を決定する。たとえば、ワイヤレスノードは、１６サブフレームのバンドル長にわたって６ＲＢ内でバンドル送信を送信するようにスケジューリングされ得、ワイヤレスノードは、１６サブフレームの第１のサブフレーム内の６ＲＢにおいて追加の基準信号（たとえば、ＭＲＳ）を送信することを決定することができる。
【００７８】
[0090]ブロック７０４において、動作７００は、決定に基づいて、ワイヤレスノードがバンドル送信、基準信号および追加の基準信号を送信することによって継続する。その例において、ワイヤレスノードは、１６サブフレームの第１のサブフレーム内の６ＲＢにおいて追加の基準信号（たとえば、ＭＲＳ）を送信し、バンドル送信の残りの１５サブフレーム内の６ＲＢにおいてバンドル送信のデータおよび基準信号を送信する。
【００７９】
[0091]図８は、本開示の態様による、ワイヤレスノードによって実行され得るワイヤレス通信の例示的な動作８００を示す。
【００８０】
[0092]動作８００はブロック８０２において開始し、ワイヤレスノードは、バンドル送信のバンドル長に基づいて、バンドル送信が１組の追加の基準信号を備えると決定する。たとえば、ワイヤレスノードは、１６サブフレームのバンドル長にわたって６ＲＢ内でバンドル送信を受信するようにスケジューリングされ得、ワイヤレスノードは、１６サブフレームの第１のサブフレーム内の６ＲＢにおいて追加の基準信号（たとえば、ＭＲＳ）が存在すると決定することができる。
【００８１】
[0093]ブロック８０４において、動作８００は、決定に基づいて、ワイヤレスノードがバンドル送信、基準信号および追加の基準信号を受信することによって継続する。その例において、ワイヤレスノードは、１６サブフレームの第１のサブフレーム内の６ＲＢにおいて追加の基準信号（たとえば、ＭＲＳ）を受信し、追加の基準信号に基づいて、チャネルを推定し、バンドル送信の残りの１５サブフレーム内の６ＲＢにおいて受信された信号を復調して、バンドル送信のデータを抽出する。
【００８２】
[0094]本開示の態様によれば、バンドル送信のための追加の基準信号の量は、バンドル送信のバンドル長に基づくことができる。たとえば、バンドル送信のためのバンドルサイズは、対応するＭＲＳ構成で（たとえば、ネットワーク仕様において）規定され得る。その例において、１６ＴＴＩのバンドルサイズは、（ネットワーク仕様において）ＭＲＳのために使用されている１６ＴＴＩ内の第１のシンボルに対応することができる。その例において、第１の周波数上のバースト８サブフレームと、第２の周波数上の８サブフレームのバーストとによる周波数ホッピングバンドルは、ＭＲＳサブフレームである８サブフレームの各バースト内の第１のサブフレームに対応することができる。
【００８３】
[0095]本開示の態様によれば、バンドル送信は、異なる周波数において送信されるサブフレームのバーストを備えることができ、追加の基準信号は、各バーストの同じサブフレーム内で送信される。たとえば、バンドル送信は、２つの異なる周波数においてそれぞれ送信される８サブフレームの２つのバーストを含むことができ、その例の追加の基準信号は、８サブフレームの２つのバーストのそれぞれの第１のサブフレームにおいて送信される。
【００８４】
[0096]本開示の態様によれば、ワイヤレスノードが、１つまたは複数のサブフレームの各々の同じスロット内で追加の基準信号を送信することができる。たとえば、長さが１２８サブフレームのバンドル送信を送信するワイヤレスノードが、第１、第３３、第６５および第９７のサブフレームのそれぞれの第２のスロットにおいて追加の基準信号（たとえば、ＭＲＳ）を送信することができる。
【００８５】
[0097]本開示の態様によれば、ワイヤレスノードが、他のタイプの信号を送信または受信するために使用されないリソース要素において追加の基準信号を送信することができる。たとえば、１つのＲＢにおいてダウンリンク上でＭＲＳを送信するｅＮＢは、１つのＲＢにおいて、そのＲＢの最初の２シンボルが制御シグナリング（たとえば、ＰＣＦＩＣＨ、ＰＤＣＣＨなど）用であり、残りの１２シンボルがＰＤＳＣＨ用であることを示す物理制御フォーマットインジケータチャネル（ＰＣＦＩＣＨ）を送信することができ、その後、ＰＤＳＣＨに使用するために示される１２シンボル内で既知のＭＲＳシーケンスを送信することができる。第２の例において、１つのＲＢにおいてＭＲＳを送信するワイヤレスノードが、ＣＲＳ、ＣＳＩ−ＲＳ、ＰＳＳ、ＳＳＳ、ＰＢＣＨまたはＤＭＲＳを送信するために使用されないＲＥにおいてＭＲＳを送信することができる。
【００８６】
[0098]本開示の態様によれば、ワイヤレスノードが、バンドル送信の帯域幅に基づいて、追加の基準信号の帯域幅を決定することができる。たとえば、ワイヤレスノードが、１つのＲＢ（たとえば、ＬＴＥでは１２サブキャリア）においてバンドル送信を送信するようにスケジューリングされ得、ワイヤレスノードは、１つのＲＢの帯域幅において追加の基準信号（たとえば、ＭＲＳ）を送信することを決定することができる。
【００８７】
[0099]本開示の態様によれば、ワイヤレスノードが、他のシグナリング（たとえば、ＰＵＣＣＨ、ＰＤＣＣＨ、ｅＰＤＣＣＨ）と多重化される追加の基準信号を送信することができる。
【００８８】
[00100]本開示の態様によれば、ワイヤレスノードが、ＵＥのモビリティ特性（たとえば、速度、ドップラシフト）に基づいて、バンドル送信とともに送信する追加の基準信号の量を決定することができる。ワイヤレスノードは、送信の各バーストの先頭および中央において追加の基準信号を送信することを決定することができる。バーストの中央における追加の基準信号は、受信側ワイヤレスノードが、バンドル送信を受信する際に使用されるチャネル推定を更新できるようにし得る。更新されたチャネル推定は、受信側ワイヤレスノードが、ワイヤレスノード（たとえば、ＵＥ）のモビリティによって引き起こされる、チャネルの短期的な変化、特に、位相または周波数の変化を追跡できるようにし得る。
【００８９】
[00101]本開示の態様によれば、ワイヤレスノードが、ワイヤレスノードのモビリティ特性のインジケーションを別のワイヤレスノードに送信することができる。たとえば、ＵＥは、そのＵＥが高速で移動しているか、低速で移動しているか（たとえば、静止しているか）を示すために、ｅＮＢとの接続設定（たとえば、ＲＲＣ接続設定）中に（たとえば、制御チャネルにおいて）ビットを送信することができる。その例において、ＵＥは、ＵＥが高速で移動していることを示すために「１」を送信し、ＵＥが低速で移動していることを示すために「０」を送信することができる。その例において、ＵＥは高速で移動しており、ＵＥはそのビットにおいて「１」を送信する。その例においてさらに、ＵＥは、ＵＥが低速で移動している場合にＵＥが送信することになる数より多くの数のＭＲＳ（たとえば、より多くの数のＭＲＳサブフレーム）をバンドル送信においてｅＮＢに送信する。その例においてさらに、バンドル送信のバーストの先頭および中央の両方において、より多くの数のＭＲＳが存在することができる。その例においてさらに、ＵＥはそのビットにおいて「１」を送信したので、ＵＥは、ｅＮＢから受信されたバンドル送信が、ＵＥがそのビットにおいて「０」を送信した場合にＵＥが受信することになった数より多くの数のＭＲＳ（たとえば、より多くの数のＭＲＳサブフレーム）をバンドル送信において含むものと決定することができる。
【００９０】
[00102]本開示の態様によれば、ワイヤレスノードが、別のワイヤレスノードからモビリティ特性のインジケーションを受信することができる。たとえば、ｅＮＢは、ＵＥが高速で移動しているか、低速で移動しているか（たとえば、静止しているか）を示すために、接続設定（たとえば、ＲＲＣ接続設定）中にそのＵＥから（たとえば、制御チャネルにおいて）ビットを受信することができる。その例において、ＢＳは、そのビットにおいて「１」を受信し、ＵＥが高速で移動していることを決定することができるか、またはそのビットにおいて「０」を受信し、ＵＥが低速で移動していることを決定することができる。その例において、ｅＮＢは、そのビットにおいて「１」を受信し、ＵＥが高速で移動していることを決定する。その例においてさらに、ｅＮＢは、ＵＥが低速で移動していたとｅＮＢが決定した場合にｅＮＢが送信することになる数より多くの数のＭＲＳ（たとえば、より多くの数のＭＲＳサブフレーム）をバンドル送信においてＵＥに送信する。その例においてさらに、バンドル送信のバーストの先頭および中央の両方において、より多くの数のＭＲＳが存在することができる。その例においてさらに、ｅＮＢは、ＵＥが高速で移動していたと決定したので、ｅＮＢは、ＵＥから受信されたバンドル送信が、ＵＥが低速で移動していたとｅＮＢが決定していた場合にｅＮＢが受信することになった数より多くの数のＭＲＳ（たとえば、より多くの数のＭＲＳサブフレーム）をバンドル送信において含むものと決定することができる。
【００９１】
[00103]図９は、本開示の態様による、ＭＲＳサブフレームを使用するバンドル送信の例示的なバーストを示す。バンドル送信９０２が、低速で移動しており（たとえば、静止を含む）、それゆえ、低いドップラシフトを有するＵＥによって送信され得る。図示されるように、バースト９０２は、バーストの先頭においてＭＲＳサブフレーム９０４を有し、バーストの残りの部分において標準のＤＭＲＳ密度でデータサブフレームを有する。
【００９２】
[00104]バースト９１０は、高速で移動しており、それゆえ、高いドップラシフトを有するＵＥによって送信され得る。図示されるように、バースト９１０は、バーストの先頭においてＭＲＳサブフレーム９１２を有し、バーストの中央において第２のＭＲＳサブフレーム９１４を有し、バーストの残りの部分において標準のＤＭＲＳ密度でデータサブフレームを有する。
【００９３】
[00105]本開示の態様によれば、ワイヤレスノードが、ＭＲＳサブフレームから計算された推定値と、他のサブフレームにおいて受信されたＲＳからの推定値とを合成することによってチャネル推定値を計算することができ、その合成において、ワイヤレスノードは、ＭＲＳサブフレームから計算された推定値を、他のサブフレームにおいて受信されたＲＳから計算された推定値のための係数より高い係数で重み付けすることができる。ＭＲＳサブフレームから計算された推定値のために高い係数を使用することによって、ワイヤレスノードは、ＭＲＳサブフレーム内のより多くの数のＲＳによって引き起こされる密度上昇を考慮することができる。
【００９４】
[00106]本開示のいくつかの態様によれば、ワイヤレスノードが、バンドル送信の一部として、ある期間（たとえば、サブフレーム）において基準信号を送信するために使用される電力を高める（たとえば、引き上げる）ことができる。受信側ワイヤレスノードが、高い電力を有する基準信号を用いて、チャネル推定値を計算することができ、その後、バンドル送信の残りの部分からデータを受信する際に、計算された推定値を使用することができる。
【００９５】
[00107]図１０は、本開示の態様による、ワイヤレスノードによって実行され得るワイヤレス通信の例示的な動作１０００を示す。
【００９６】
[00108]動作１０００はブロック１００２において開始し、ワイヤレスノードは、バンドル送信のバンドル長に基づいて、バンドル送信において送信される１つまたは複数の基準信号に適用する追加の送信電力を決定する。たとえば、ワイヤレスノードは、１６サブフレームのバンドル長にわたって６ＲＢ内でバンドル送信を送信するようにスケジューリングされ得、ワイヤレスノードは、１６サブフレームのうちの他のサブフレームにおいて使用される電力レベルの４倍（たとえば、４×）において１６サブフレームの第１のサブフレームにおいて基準信号を送信することを決定することができる。
【００９７】
[00109]ブロック１００４において、動作１０００は、決定に基づいて、ワイヤレスノードがバンドル送信および基準信号を送信することによって継続する。その例において、ワイヤレスノードは、１６サブフレームのうちの他のサブフレームにおいて使用される電力レベルの４倍（たとえば、４×）において１６サブフレームの第１のサブフレームにおいて６ＲＢ内で基準信号を送信し、バンドル送信の残りの１５サブフレームにおいて６ＲＢ内で標準的な電力レベルにおいてバンドル送信のデータおよび基準信号を送信する。
【００９８】
[00110]図１１は、本開示の態様による、ワイヤレスノードによって実行され得るワイヤレス通信の例示的な動作１１００を示す。
【００９９】
[00111]動作１１００はブロック１１０２において開始し、ワイヤレスノードは、バンドル送信のバンドル長に基づいて、バンドル送信において送信されるときに別のワイヤレスノードによって１つまたは複数の基準信号に適用された追加の送信電力を決定する。たとえば、ワイヤレスノードは、１６サブフレームのバンドル長にわたって６ＲＢ内でバンドル送信を受信するようにスケジューリングされ得、ワイヤレスノードは、第１のサブフレームにおいて６ＲＢ内に存在する基準信号が、１６サブフレームの残りの１５サブフレームにおける基準信号の電力の２倍において送信されることを決定することができる。
【０１００】
[00112]ブロック１１０４において、動作１１００は、決定に基づいて、ワイヤレスノードがバンドル送信および基準信号を処理することによって継続する。その例において、ワイヤレスノードは、１６サブフレームの第１のサブフレーム内の６ＲＢにおいて２倍の電力の基準信号を受信し、２倍の電力の基準信号に基づいて、チャネルを推定し、バンドル送信の１６サブフレーム内の６ＲＢにおいて受信された信号を復調して、バンドル送信のデータを抽出する。
【０１０１】
[00113]先に言及されたように、本開示の態様によれば、ＭＲＳサブフレームは、周波数ホッピングバンドル送信とともに使用され得る。本開示の態様において、ＵＥまたはｅＮＢは、バンドルの各バースト内のＭＲＳサブフレームとともに、周波数ホッピングバンドル送信を送信することができる。すなわち、バンドル送信は、周波数にわたってホッピングする複数のバーストにおいて送信され得、ＭＲＳサブフレームは、各バーストに含まれ得る。
【０１０２】
[00114]図１２は、ＭＲＳサブフレームを伴う例示的な周波数ホッピングバンドル送信１２０２および１２０４を示す。図示されるように、例示的な周波数ホッピングバンドル送信１２０２および１２０４はそれぞれ、長さＮのバーストギャップを用いて長さＭの２つのバーストに分割され、バーストギャップ中に周波数にわたってホッピングする。各送信１２０２および１２０４は、各バーストの先頭においてＭＲＳサブフレーム１２１２ａ、１２１２ｂ、１２１４ａまたは１２１４ｂを含む。
【０１０３】
[00115]図示されるように、バンドルは、１つの期間中に２つ以上のＭＴＣデバイス（たとえば、ＭＴＣ１、ＭＴＣ２）に送信され得る。図示されるバンドル送信は、同じ周波数インクリメントだけ、または同じ方向に変化しないが、本開示はそれには限定されず、共通の量だけ、および／または共通の方向におけるバンドル送信周波数ホッピングも含む。
【０１０４】
[00116]図１３は、ＭＲＳサブフレームを伴う例示的な周波数ホッピングバンドル送信１３０２および１３０４を示す。図示されるように、例示的な周波数ホッピングバンドル送信１３０２および１３０４はそれぞれ、長さＮのバーストギャップを用いて長さＭの２つのバーストに分割され、バーストギャップ中に周波数にわたってホッピングする。各送信１３０２および１３０４は、各バーストの中央付近においてＭＲＳサブフレーム１３１２ａ、１３１２ｂ、１３１４ａまたは１３１４ｂを含む。送信１３０２は、データ部分１３１６ａ、１３１６ｂ、１３１６ｃおよび１３１６ｄを含む。同様に、送信１３０４は、データ部分１３１８ａ、１３１８ｂ、１３１８ｃおよび１３１８ｄを含む。
【０１０５】
[00117]図示されるように、バンドルは、１つの期間中に２つ以上のＭＴＣデバイス（たとえば、ＭＴＣ１、ＭＴＣ２）に送信され得る。図示されるバンドル送信は、同じ周波数インクリメントだけ、または同じ方向に変化しないが、本開示はそれには限定されず、共通の量だけ、および／または共通の方向におけるバンドル送信周波数ホッピングも含む。
【０１０６】
[00118]上記で説明された種々の技法は、バンドルページングメッセージのためのバンドリングサイズを決定し、および／またはバンドリングサイズの決定がいつトリガされるかを決定するために、組み合わせられ得る。たとえば、ある場合には、ＢＳは、ＬＣ  ＵＥがＲＲＣ接続モードにある間にＬＣ  ＵＥによって行われた１つまたは複数の測定値を伴う測定報告、および／あるいはＢＳによるバンドルブロードキャスト送信の早期復号に基づくＬＣ  ＵＥからの早期復号インジケーションを受信することができる。別の場合には、バンドリングサイズの決定は、ＬＣ  ＵＥによって周期的に、および／あるいはＬＣ  ＵＥが新しいセルを選択または再選択するたびにトリガされ得る。しかしながら、概して、本明細書において説明された他の同様の技法も、ＬＣ  ＵＥのためのページング手順を拡張するために組み合わせられ得ることを当業者は理解されよう。
【０１０７】
[00119]さらに、ＭＴＣのためのページング手順を拡張するために、本明細書において説明された種々の技法が使用され得、本明細書において提示される技法は、ランダムアクセス手順、システム情報の送信／受信などの、ＭＴＣの他の手順にも適用され得ることは当業者には理解されよう。
【０１０８】
[00120]さらに、「または」という用語は、排他的な「または」ではなく、包括的な「または」を意味するものとする。すなわち、別段に規定されない限り、または文脈から明らかでない限り、「ＸがＡまたはＢを利用する」という言い回しは、自然な包括的順列のいずれかを意味するものとする。すなわち、「ＸはＡまたはＢを使用する」という言い回しは、以下の場合、すなわち、ＸがＡを使用する場合、ＸがＢを使用する場合、またはＸがＡとＢの両方を使用する場合のうちのいずれかによって満たされる。さらに、本出願と添付の特許請求の範囲とで使用されるとき、冠詞「１つの（「ａ」および「ａｎ」）」は、別段に規定されない限り、または単数形を対象とすべきであると文脈から明らかでない限り、通常、「１つまたは複数」を意味すると解釈されるべきである。本明細書で使用される、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃ、ならびに複数の同じ要素をもつ任意の組合せ（たとえば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの任意の他の順序）を包含するものとする。
【０１０９】
[00121]本明細書の開示に関して説明される方法またはアルゴリズムのステップは、ハードウェアにおいて直接具現されるか、プロセッサによって実行されるソフトウェアモジュールにおいて具現されるか、またはその２つの組合せにおいて具現され得る。ソフトウェアは、ソフトウェア、ファームウェア、ミドルウェア、コード、マイクロコード、ハードウェア記述言語、機械言語などの名称にかかわらず、命令、データ、コードまたはそれらの任意の組合せを意味するように広く解釈されたい。ソフトウェアモジュールは、ＲＡＭメモリ、フラッシュメモリ、ＲＯＭメモリ、ＥＰＲＯＭメモリ、ＥＥＰＲＯＭ（登録商標）メモリ、ＰＣＭ（相変化メモリ）、レジスタ、ハードディスク、リムーバブルディスク、ＣＤ−ＲＯＭ、または当技術分野で知られている任意の他の形態の記憶媒体内に存在することができる。例示的な記憶媒体は、プロセッサが記憶媒体から情報を読み取り、および／または記憶媒体に情報を書き込むことができるように、プロセッサに結合される。代替形態において、記憶媒体はプロセッサに一体化され得る。プロセッサおよび記憶媒体は、ＡＳＩＣ中に存在することができる。ＡＳＩＣはユーザ端末内に存在することができる。代替形態において、プロセッサおよび記憶媒体は、ユーザ端末内の個別構成要素として存在することができる。概して、図に示した動作がある場合、それらの動作は、同様の番号を有する対応する同等のミーンズプラスファンクション構成要素を有することができる。たとえば、決定または処理するための手段は、受信プロセッサ２５８、コントローラ／プロセッサ２８０、送信プロセッサ２６４および／または図２に示されるユーザ端末１２０の他のプロセッサおよびモジュールのような、１つまたは複数のプロセッサを含むことができる。受信するための手段は、図２に示されるユーザ端末１２０の受信プロセッサ（たとえば、受信プロセッサ２５８）および／またはアンテナ２５２を含むことができる。送信するための手段は、図２に示されるｅＮＢ１１０の送信プロセッサ（たとえば、送信プロセッサ２２０）および／またはアンテナ２３４を備えることができる。指示するための手段は、図２に示されるｅＮＢ１１０の送信プロセッサ２２０、コントローラ／プロセッサ２４０および／または他のプロセッサおよびモジュールのような１つまたは複数のプロセッサを含むことができる。
【０１１０】
[00122]１つまたは複数の例示的な設計では、説明された機能は、ハードウェア、ソフトウェア、またはそれらの組合せで実現され得る。ソフトウェアにおいて実現される場合、それら機能は、コンピュータ可読媒体上に記憶されるか、あるいは、コンピュータ可読媒体上の１つまたは複数の命令またはコードとして送信され得る。コンピュータ可読媒体は、ある場所から別の場所へのコンピュータプログラムの転送を容易にする任意の媒体を含む、コンピュータ記憶媒体と通信媒体との両方を含む。記憶媒体は、汎用コンピュータまたは専用コンピュータによってアクセスされ得る任意の入手可能な媒体とすることができる。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、または命令もしくはデータ構造の形態の所望のプログラムコード手段を搬送もしくは記憶するために使用することができ、汎用もしくは専用コンピュータ、または汎用もしくは専用プロセッサによってアクセスされ得る任意の他の媒体を備えることができる。さらに、いかなる接続もコンピュータ可読媒体と適切に呼ばれる。たとえば、ソフトウェアが、同軸ケーブル、光ファイバケーブル、ツイストペア、デジタル加入者線（ＤＳＬ）、または赤外線、無線、およびマイクロ波などのワイヤレス技術を用いて、ウェブサイト、サーバまたは他のリモートソースから送信される場合には、同軸ケーブル、光ファイバケーブル、ツイストペア、ＤＳＬ、または赤外線、無線、およびマイクロ波などワイヤレス技術は、媒体の定義に含まれる。本明細書において使用されるときに、ディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は通常、データを磁気的に再生し、ディスク（disc）は、データをレーザで光学的に再生する。上記の組合せもコンピュータ可読媒体の範囲に含まれるべきである。
【０１１１】
[00123]本開示についてのこれまでの説明は、任意の当業者が本開示を作製または使用できるようにするために提供される。本開示への種々の変更は当業者には容易に明らかになり、本明細書で定義された一般原理は、本開示の趣旨または範囲から逸脱することなく他の変形形態に適用され得る。したがって、本開示は、本明細書において説明された例および設計に限定されるものではなく、本明細書において開示された原理および新規の特徴に合致する最も広い範囲を与えられるべきである。
以下に本願の出願当初の特許請求の範囲に記載された発明を付記する。
［Ｃ１］
ワイヤレスノードによるワイヤレス通信のための方法であって、
バンドル送信のバンドル長に基づいて、前記バンドル送信において送信する１組の追加の基準信号を決定することと、
前記決定に基づいて、前記バンドル送信、基準信号および前記追加の基準信号を送信することとを備える、方法。
［Ｃ２］
前記追加の基準信号の量は、前記バンドル長に基づく、Ｃ１に記載の方法。
［Ｃ３］
前記バンドル送信は、異なる周波数において送信されるサブフレームのバーストを備え、
前記追加の基準信号は、各バーストの同じサブフレームにおいて送信される、Ｃ１に記載の方法。
［Ｃ４］
前記追加の基準信号は、１つまたは複数のサブフレームの各々の同じスロットにおいて送信される、Ｃ１に記載の方法。
［Ｃ５］
前記追加の基準信号は、１つまたは複数のサブフレームの各々の同じシンボルにおいて送信される、Ｃ１に記載の方法。
［Ｃ６］
前記追加の基準信号は、他のタイプの信号を送信または受信するために使用されないリソース要素において送信される、Ｃ１に記載の方法。
［Ｃ７］
前記他のタイプの信号は、セル固有基準信号（ＣＲＳ）、チャネル状態情報基準信号（ＣＳＩ−ＲＳ）、プライマリ同期信号（ＰＳＳ）、セカンダリ同期信号（ＳＳＳ）、物理ブロードキャストチャネル（ＰＢＣＨ）、または復調基準信号（ＤＭＲＳ）のうちの少なくとも１つを備える、Ｃ６に記載の方法。
［Ｃ８］
前記追加の基準信号の帯域幅は、前記バンドル送信の帯域幅に基づいて決定される、Ｃ１に記載の方法。
［Ｃ９］
前記バンドル送信において他のシグナリングを送信することをさらに備え、ここにおいて、前記他のシグナリングは、前記追加の基準信号と多重化される、Ｃ１に記載の方法。
［Ｃ１０］
前記他のシグナリングは物理アップリンク制御チャネル（ＰＵＣＣＨ）を備える、Ｃ９に記載の方法。
［Ｃ１１］
前記他のシグナリングは、あるタイプの物理ダウンリンク制御チャネル（ＰＤＣＣＨ）を備える、Ｃ９に記載の方法。
［Ｃ１２］
前記追加の基準信号の量はユーザ機器（ＵＥ）のモビリティ特性に基づく、Ｃ１に記載の方法。
［Ｃ１３］
前記ワイヤレスノードは前記ＵＥであり、
前記方法はさらに、前記モビリティ特性のインジケーションを送信することを備える、Ｃ１２に記載の方法。
［Ｃ１４］
前記ワイヤレスノードは基地局（ＢＳ）であり、
前記方法はさらに、前記ＵＥから前記モビリティ特性のインジケーションを受信することを備える、Ｃ１２に記載の方法。
［Ｃ１５］
ワイヤレスノードによるワイヤレス通信のための方法であって、
バンドル送信のバンドル長に基づいて、前記バンドル送信が１組の追加の基準信号を備えると決定することと、
前記決定に基づいて、前記バンドル送信、基準信号および前記追加の基準信号を受信することとを備える、方法。
［Ｃ１６］
前記追加の基準信号の量は、前記バンドル長に基づく、Ｃ１５に記載の方法。
［Ｃ１７］
前記バンドル送信は、異なる周波数において送信されるサブフレームのバーストを備え、
前記追加の基準信号は各バーストの同じサブフレームにおいて受信される、Ｃ１５に記載の方法。
［Ｃ１８］
前記追加の基準信号は、１つまたは複数のサブフレームの各々の同じスロットにおいて受信される、Ｃ１５に記載の方法。
［Ｃ１９］
前記追加の基準信号は、１つまたは複数のサブフレームの各々の同じシンボルにおいて受信される、Ｃ１５に記載の方法。
［Ｃ２０］
前記追加の基準信号は、他のタイプの信号を送信または受信するために使用されないリソース要素において受信される、Ｃ１５に記載の方法。
［Ｃ２１］
前記他のタイプの信号は、セル固有基準信号（ＣＲＳ）、チャネル状態情報基準信号（ＣＳＩ−ＲＳ）、プライマリ同期信号（ＰＳＳ）、セカンダリ同期信号（ＳＳＳ）、物理ブロードキャストチャネル（ＰＢＣＨ）、または復調基準信号（ＤＭＲＳ）のうちの少なくとも１つを備える、Ｃ２０に記載の方法。
［Ｃ２２］
前記追加の基準信号の帯域幅は前記バンドル送信の帯域幅に基づいて決定される、Ｃ１５に記載の方法。
［Ｃ２３］
前記バンドル送信において他のシグナリングを受信することをさらに備え、ここにおいて、前記他のシグナリングは、前記追加の基準信号と多重化される、Ｃ１５に記載の方法。
［Ｃ２４］
前記他のシグナリングは、物理アップリンク制御チャネル（ＰＵＣＣＨ）を備える、Ｃ２３に記載の方法。
［Ｃ２５］
前記他のシグナリングは、あるタイプの物理ダウンリンク制御チャネル（ＰＤＣＣＨ）を備える、Ｃ２３に記載の方法。
［Ｃ２６］
前記追加の基準信号の量は、ユーザ機器（ＵＥ）のモビリティ特性に基づく、Ｃ１５に記載の方法。
［Ｃ２７］
前記ワイヤレスノードは前記ＵＥであり、
前記方法はさらに、前記モビリティ特性のインジケーションを送信することを備える、Ｃ２６に記載の方法。
［Ｃ２８］
前記ワイヤレスノードは基地局（ＢＳ）であり、
前記方法はさらに、前記ＵＥから前記モビリティ特性のインジケーションを受信することを備える、Ｃ２６に記載の方法。
［Ｃ２９］
ワイヤレスノードによるワイヤレス通信のための方法であって、
バンドル送信のバンドル長に基づいて、前記バンドル送信において送信される１つまたは複数の基準信号に適用する追加の送信電力を決定することと、
前記決定に基づいて、前記バンドル送信および基準信号を送信することとを備える、方法。
［Ｃ３０］
ワイヤレスノードによるワイヤレス通信のための方法であって、
バンドル送信のバンドル長に基づいて、前記バンドル送信において送信されるときに別のワイヤレスノードによって１つまたは複数の基準信号に適用された追加の送信電力を決定することと、
前記決定に基づいて、前記バンドル送信および基準信号を処理することとを備える、方法。
［Ｃ３１］
ワイヤレス通信のための装置であって、
バンドル送信のバンドル長に基づいて、前記バンドル送信において送信する１組の追加の基準信号を決定し、
前記決定に基づいて、前記バンドル送信、基準信号および前記追加の基準信号を送信するように構成される少なくとも１つのプロセッサと、
前記少なくとも１つのプロセッサに結合されるメモリとを備える、装置。
［Ｃ３２］
ワイヤレス通信のための装置であって、
バンドル送信のバンドル長に基づいて、前記バンドル送信が１組の追加の基準信号を備えると決定し、
前記決定に基づいて、前記バンドル送信、基準信号および前記追加の基準信号を受信するように構成される少なくとも１つのプロセッサと、
前記少なくとも１つのプロセッサに結合されるメモリとを備える、装置。
［Ｃ３３］
ワイヤレス通信のための装置であって、
バンドル送信のバンドル長に基づいて、前記バンドル送信において送信される１つまたは複数の基準信号に適用する追加の送信電力を決定し、
前記決定に基づいて、前記バンドル送信および基準信号を送信するように構成される少なくとも１つのプロセッサと、
前記少なくとも１つのプロセッサに結合されるメモリとを備える、装置。
［Ｃ３４］
ワイヤレス通信のための装置であって、
バンドル送信のバンドル長に基づいて、前記バンドル送信において送信されるときに別のワイヤレスノードによって１つまたは複数の基準信号に適用された追加の送信電力を決定し、
前記決定に基づいて、前記バンドル送信および基準信号を処理するように構成される少なくとも１つのプロセッサと、
前記少なくとも１つのプロセッサに結合されるメモリとを備える、装置。
［Ｃ３５］
ワイヤレス通信のための装置であって、
バンドル送信のバンドル長に基づいて、前記バンドル送信において送信する１組の追加の基準信号を決定するための手段と、
前記決定に基づいて、前記バンドル送信、基準信号および前記追加の基準信号を送信するための手段とを備える、装置。
［Ｃ３６］
ワイヤレス通信のための装置であって、
バンドル送信のバンドル長に基づいて、前記バンドル送信が１組の追加の基準信号を備えると決定するための手段と、
前記決定に基づいて、前記バンドル送信、基準信号および前記追加の基準信号を受信するための手段とを備える、装置。
［Ｃ３７］
ワイヤレス通信のための装置であって、
バンドル送信のバンドル長に基づいて、前記バンドル送信において送信される１つまたは複数の基準信号に適用する追加の送信電力を決定するための手段と、
前記決定に基づいて、前記バンドル送信および基準信号を送信するための手段とを備える、装置。
［Ｃ３８］
ワイヤレス通信のための装置であって、
バンドル送信のバンドル長に基づいて、前記バンドル送信において送信されるときに別のワイヤレスノードによって１つまたは複数の基準信号に適用された追加の送信電力を決定するための手段と、
前記決定に基づいて、前記バンドル送信および基準信号を処理するための手段とを備える、装置。
［Ｃ３９］
ワイヤレス通信のためのコンピュータ可読媒体であって、
バンドル送信のバンドル長に基づいて、前記バンドル送信において送信する１組の追加の基準信号を決定するコードと、
前記決定に基づいて、前記バンドル送信、基準信号および前記追加の基準信号を送信するコードとを備える、コンピュータ可読媒体。
［Ｃ４０］
ワイヤレス通信のためのコンピュータ可読媒体であって、
バンドル送信のバンドル長に基づいて、前記バンドル送信が１組の追加の基準信号を備えると決定するコードと、
前記決定に基づいて、前記バンドル送信、基準信号および前記追加の基準信号を受信するコードとを備える、コンピュータ可読媒体。
［Ｃ４１］
ワイヤレス通信のためのコンピュータ可読媒体であって、
バンドル送信のバンドル長に基づいて、前記バンドル送信において送信される１つまたは複数の基準信号に適用する追加の送信電力を決定するコードと、
前記決定に基づいて、前記バンドル送信および基準信号を送信するコードとを備える、コンピュータ可読媒体。
［Ｃ４２］
ワイヤレス通信のためのコンピュータ可読媒体であって、
バンドル送信のバンドル長に基づいて、前記バンドル送信において送信されるときに別のワイヤレスノードによって１つまたは複数の基準信号に適用された追加の送信電力を決定するコードと、
前記決定に基づいて、前記バンドル送信および基準信号を処理するコードとを備える、コンピュータ可読媒体。
【図１】
0006668367.tif 000002
【図２】
0006668367.tif 000003
【図３】
0006668367.tif 000004
【図４】
0006668367.tif 000005
【図５】
0006668367.tif 000006
【図６Ａ】
0006668367.tif 000007
【図６Ｂ】
0006668367.tif 000008
【図７】
0006668367.tif 000009
【図８】
0006668367.tif 000010
【図９】
0006668367.tif 000011
【図１０】
0006668367.tif 000012
【図１１】
0006668367.tif 000013
【図１２】
0006668367.tif 000014
【図１３】
0006668367.tif 000015